(57)【特許請求の範囲】
【請求項１】
音声信号ラインにｎｐｎトランジスタのコレクタと、前記ｎｐｎトランジスタとは別のｎｐｎトランジスタのエミッタを接続し音声信号のオン・オフを行うスイッチング素子と、前記スイッチング素子の動作を制御するミュート信号発生回路と、を有するミューティング回路において、前記ミュート信号発生回路は、前記スイッチング素子への制御信号をミュートオン時と解除時とでそれぞれ異なる時定数で積分する積分回路を有し、ミュートオン時は前記積分回路により前記スイッチング素子を瞬時にオンし、解除時は前記積分回路により前記スイッチング回路を徐々に解除することを特徴とするミューティング回路。
【発明の詳細な説明】
【０００１】
【発明の属する技術分野】
本発明は、音声信号のオン・オフを行うミューティング回路に関して、ミュート解除時における音声立ち上がり時の歪みと、ミュートオン時と解除後の立ち上がりの時間を抑制し、試聴上違和感のないミュート解除を行う回路に関する。
【０００２】
従来のミューティング回路は、特開平５―３２５４０５のように、音声信号をオン・オフさせるスイッチング素子として音声信号ラインにｎｐｎトランジスタのコレクタを接続するという回路を用いている。これらの回路の共通部分として図３を示す。
【０００３】
この回路の場合、ミュートオン時はトランジスタ２のベースに電流を流すことによりトランジスタ２がオンし、音声信号の正電位側はトランジスタ２のエミッタを通してグランドに導通し、負電位側はトランジスタ２のベース・コレクタ間のｐｎ接合により出力がクリップされることで、音声信号ライン１はミュートされる。
【０００４】
ミュート解除時はトランジスタ２へのベース電流を遮断しトランジスタ２をオフさせることにより、音声信号ライン１は開放され、音声信号が元に戻るということで、ミューティング回路として動作していた。
【０００５】
また、特開平５―３２５４０５では抵抗６とコンデンサ３で積分回路を構成させることにより、ミュート動作のオン・オフに対して時定数を持たせて動作させ、オン時は徐々にミュートをかけ、オフ時は徐々に開放するという動作を行うことにより試聴上違和感の無いミュート動作を行わせていた。
【０００６】
しかし、この場合ミュートオン時に遅延が生じ十分な効果を得ることができないので、図５に示すようにミュートオン時は抵抗３２をバイパスしてトランジスタ３７をオンさせることでミュート動作の立ち上がりを早め、解除時はコンデンサ３４の放電により徐々に開放しいくという動作を行わせていた。
【０００７】
【発明が解決しようとする課題】
しかしながら、上記方法においては、ミュートオン時は問題無く音声信号をオフさせることができるが、ミュート解除時は、トランジスタ２のベース電流は遮断されコンデンサ３の放電により徐々にトランジスタ２はオフしていき、音声信号の正電位側は徐々にミュートが解除されていくのに対し、音声信号の負電位側は、トランジスタ２のベースへの電流が遮断されるため、トランジスタ２のベース・コレクタ間のｐｎ接合による電圧クリップが無くなるため、音声信号の負電位側だけが立ち上がることになり、図４のように音声が上下非対称となり、歪みながら立ち上がる為、試聴上不快な音声が出力されてしまうという問題があった。
【０００８】
また、ミュートオンを早め、解除を徐々に開放する回路はミュートオフ時において、トランジスタ３７のベースのインピーダンスが抵抗３２、３８やダイオード３６、抵抗３０の影響によりある程度の値をもってしまうので、トランジスタ３７のベース・コレクタ間のｐｎ接合により音声信号がある振幅レベルを超えると負電位側が電圧クリップされ、通常の音声出力状態において音声信号の負電位側に歪みが生じてしまうという課題があった。
【０００９】
本発明では、ミューティング回路において、ミュート解除時における音声立ち上がり時における音声信号の上下非対称からなる歪みを抑制し、またミュートオン時は瞬時に動作し、解除時は徐々にミュートを解除することによって、試聴上違和感のないミュート解除回路をする回路を提供するものである。
【００１０】
【課題を解決するための手段】
上記課題を解決する為に本発明では、ミューティング回路において、音声信号をオン・オフさせるスイッチング素子は音声信号ラインにｎｐｎトランジスタのコレクタを接続した物と、ｎｐｎトランジスタのエミッタを接続した物、ミュート信号を発生させる回路は、前記スイッチング素子への信号をオン時とオフ時でそれぞれ異なる時定数で動作する積分回路を用いることで、ミュートオン時は瞬時に動作し、ミュート解除時は音声立ち上がり時のにおける音声信号の上下非対称からなる歪みを解消し、なおかつ徐々にミュートを解除することを特徴としたものである。
【００１１】
【発明の実施の形態】
本発明の請求項１に記載の発明は、音声信号のオン・オフを行うミューティング回路において、音声信号のオン・オフを行うスイッチング素子を用いた回路からなるものであり、ミュート解除時における音声立ち上がり時の歪みを抑制するという作用を有する。
【００１２】
本発明の請求項２に記載の発明は、請求項１に記載のミューティング回路において、音声信号をオン・オフさせるスイッチング素子は音声信号ラインにｎｐｎトランジスタのコレクタを接続した物と、ｎｐｎトランジスタのエミッタを接続した物からなり、音声立ち上がり時の歪みを抑制するという作用を有する。
【００１３】
本発明の請求項３に記載の発明は、請求項１に記載のミューティング回路において、スイッチング素子の動作を制御する回路からなるものであり、ミュート動作時は瞬時に動作し、解除時は徐々にミュートを解除するという作用を有する。
【００１４】
本発明の請求項４に記載の発明は、請求項３に記載のミューティング回路において、スイッチング素子の動作を制御する回路からなるものであり、前記スイッチング素子へのミュート信号をミュートオン時と解除時でそれぞれ異なる時定数で動作させることで、ミュート動作時は瞬時に動作し、解除時は徐々にミュートを解除するという作用を有する。以下、本発明の実施の形態について、図１を用いて説明する。
【００１５】
（実施の形態）
図１は回路構成を示す図である。図１において音声ブロック３０は音声波形を伝達するもので、生成された音声波形を後段のブロックに伝達するという作用を行う、ミュート信号発生回路８はミュート信号７からミュート命令を受け取ることにより、スイッチング素子２９にオン・オフ信号を送るという作用を行う。スイッチング素子２９はミュート信号発生回路８からのオン・オフ信号を受け取り音声ブロック３０の音声波形をオン・オフさせるという作用を行うもので、ミュート命令に基づいて、音声波形のオン・オフを行うという装置から構成される。
【００１６】
次に、本発明の具体例を図1及び図２を用いて説明する。図１は、本発明によるミューティング回路の１回路例を示したものであり、図２は図１の回路例におけるミュート動作の波形を示すものである。ミュート信号７はミュート信号発生回路８に対してミュートの命令を行うものであり、信号がＨＩの時はミュート、ＬＯＷの時はミュート解除という動作をする。ミュート信号発生回路８は、スイッチ用トランジスタ１４、１９、トランジスタ１４のバイアス設定用抵抗１３、１５、トランジスタ１９のバイアス設定抵抗１７、１８、とミュート信号を積分するためのコンデンサ１２、スイッチング素子２９に接続するためのインピーダンス変換用トランジスタ２２、トランジスタ２２のバイアス設定抵抗２０、２１、スイッチング素子２９への電流制限抵抗２３、２４からなる。
【００１７】
トランジスタ１９はミュート信号７からＨＩの信号を受け取った場合はオンしトランジスタ１４をオンさせるという動作を行う。この時、トランジスタ１４は、コンデンサ１２と抵抗１５の積分回路により、動作が若干遅れるが、抵抗１５の定数を２２ｋΩ程度とし、コンデンサ１２の定数を２．２ｕＦ程度とすることで、その遅延時間は１０ｍｓ程度に抑えることができるので、ミュート動作の遅れによる不具合等は発生しない。
【００１８】
トランジスタ１４がオンすることによりミュート信号が発生しトランジスタ２２を介してスイッチング素子２９に対してミュート信号を伝達するという動作を行う。トランジスタ２２はベース接地されており、出力側のインピーダンスを非常に高い値にする為のものである。
【００１９】
これは、ミュート解除状態においてスイッチング素子２９への信号ラインのインピーダンスが低いとトランジスタ２６のベース・コレクタ間のｐｎ接合、トランジスタ２５のベース・エミッタ間のｐｎ接合により音声信号がクリップされることとなり音声信号に歪みが生じてしまうので、これを防止する為の物である。
【００２０】
また、ミュート解除時はミュート信号７からＬＯＷの信号を受け取ることによりトランジスタ１９はオフしトランジスタ１４をオフさせることにより、スイッチング素子２９への信号を遮断しミュートを解除させるという動作を行う。
【００２１】
この時、トランジスタ１４は、コンデンサ１２と抵抗１３の積分回路により、徐々にオフしていくことになる。この時、抵抗１３の定数を２２０ｋΩ程度とすると、試聴上スムーズに音声が立ち上がってくるという効果が得られる。スイッチング素子２９はトランジスタ２５、２６からなる。
【００２２】
トランジスタ２５のエミッタ、トランジスタ２６のコレクタがそれぞれ音声信号ライン１に接続され、トランジスタ２５のコレクタ、トランジスタ２６のエミッタがそれぞれグランドに接続されるという構成をしている。ミュート信号発生回路よりミュートオンの信号を受け取った場合、トランジスタ２５、２６のベースに電流が流れることによりトランジスタ２５は音声信号の負電位側をミュートしトランジスタ２６は音声信号の正電位側をミュートする。
【００２３】
これにより音声信号の両電位側を上下対称でミュートするという動作を行う。ミュート解除時は、トランジスタ２５のベース電流が徐々に遮断されることにより、音声信号の負電位側が徐々に開放され、トランジスタ２６のベース電流が徐々に遮断されることにより、音声信号の正電位側が徐々に開放される。これにより音声信号の両電位側が上下対称で図２に示すように徐々に元に戻るという効果が得られる。
【００２４】
【発明の効果】
以上のように本発明によれば、ミューティング回路において、ミュートオン時は瞬時に動作し、ミュート解除時の音声立ち上がり時における音声信号の上下非対称からなる、歪みを抑制するととも徐々にミュートを解除することができ、試聴上不快な音声が出力されることを抑制するという効果が得られる。
【図面の簡単な説明】
【図１】本発明の実施の形態、回路構成及び１回路例を示す図
【図２】図１に示された１回路例の動作を説明するための波形図
【図３】従来技術の回路図
【図４】図３に示された、従来技術の回路の動作を説明するための波形図
【図５】従来技術の回路図
【符号の説明】
１  音声信号ライン
２  トランジスタ
３  コンデンサ
４  コンデンサ
５  コンデンサ
６  抵抗
７  ミュート信号
８  ミュート信号発生回路
９  音声出力
１０  音声入力
１１  直流電源
１２  コンデンサ
１３  抵抗
１４  トランジスタ
１５  抵抗
１７  抵抗
１８  抵抗
１９  トランジスタ
２０  抵抗
２１  抵抗
２２  トランジスタ
２３  抵抗
２４  抵抗
２５  トランジスタ
２６  トランジスタ
２７  コンデンサ
２８  コンデンサ
２９  スイッチング素子
３０  音声ブロック
３１  トランジスタ
３２  抵抗
３３  ダイオード
３４  コンデンサ
３５  抵抗
３６  コンデンサ
３７  トランジスタ
３８  抵抗
【図１】
0004356237.tif 000002
【図２】
0004356237.tif 000003
【図３】
0004356237.tif 000004
【図４】
0004356237.tif 000005
【図５】
0004356237.tif 000006